(57)【特許請求の範囲】
【請求項１】
入出金処理を行う紙幣取扱装置であって、
前記紙幣取扱装置に投入された紙幣の汚損度を測定する汚損度測定手段と、
前記汚損度測定手段によって測定された紙幣の汚損度が、前記紙幣の汚損を回復できると判定される所定の汚損度以下であるか否かを判定する判定手段と、
汚損を回復できると判定された前記紙幣を回復浄化する回復浄化手段と、
利用者の出金要求を受け付ける出金受付手段と、
前記出金受付手段によって受け付けられた前記出金要求に応じて、前記回復浄化手段によって回復浄化された前記紙幣を出金する出金手段と、を備える、
紙幣取扱装置。
【請求項２】
前記汚損度測定手段は、前記紙幣を光学的に撮影する撮影手段を含み、前記撮影手段によって撮影された画像に基づいて前記紙幣の汚損度を測定する、
請求項１に記載の紙幣取扱装置。
【請求項３】
前記撮影手段は、前記紙幣に光を照射する光源と、前記光が前記紙幣を透過した透過光および前記光が前記紙幣によって反射された反射光の少なくとも一方を受光する受光素子とを含み、
前記画像は、前記受光素子が受光した光に基づいて作成される、
請求項２に記載の紙幣取扱装置。
【請求項４】
前記汚損度測定手段は、前記撮影手段によって撮影された画像に基づいて、前記紙幣の形状、前記紙幣の透光度および前記紙幣の表面平滑度のうち少なくとも一つの要素を測定する、
請求項２または３に記載の紙幣取扱装置。
【請求項５】
前記受光素子は、前記反射光を受光し、
前記画像は、前記受光素子が受光した前記反射光に基づいて作成され、
前記汚損度測定手段は、前記反射光に基づいて作成された前記画像に基づいて、前記紙幣の表面における繊維の整列度を測定する、
請求項３に記載の紙幣取扱装置。
【請求項６】
前記汚損度測定手段は、前記紙幣の形状、前記紙幣の透光度および前記紙幣の表面平滑度のうち少なくとも一つの要素を数値化し、数値化された前記要素の合計値を汚損度として測定する、
請求項１から４のいずれか一項に記載の紙幣取扱装置。
【請求項７】
前記回復浄化手段は、
前記汚損度に応じた回復浄化方法を複数含み、
前記汚損度測定手段によって測定された前記紙幣の汚損度に応じて、前記紙幣の回復浄化に用いる前記回復浄化方法を選択し、
選択された前記回復浄化方法で前記紙幣を浄化する、
請求項１から６のいずれか一項に記載の紙幣取扱装置。
【請求項８】
前記回復浄化手段は、選択された複数の前記回復浄化方法を組み合わせて前記紙幣を浄化する、
請求項７に記載の紙幣取扱装置。
【請求項９】
前記回復浄化手段によって回復浄化された前記紙幣を格納するストッカと、
前記回復浄化手段によって回復浄化された前記紙幣を前記ストッカに格納する格納手段と、をさらに備える、
請求項１から８のいずれか一項に記載の紙幣取扱装置。
【請求項１０】
前記ストッカは、前記紙幣の種類毎または前記汚損度毎に複数用意される、
請求項９に記載の紙幣取扱装置。
【請求項１１】
前記汚損度測定手段は、回復浄化された前記紙幣の汚損度を更に測定し、
前記格納手段は、前記更に測定された汚損度に応じて、前記回復浄化手段によって回復浄化された前記紙幣を前記ストッカに格納する、
請求項１０に記載の紙幣取扱装置。
【請求項１２】
複数の前記ストッカのうち、最も汚損度の低い紙幣を格納する第１のストッカに格納されている紙幣の枚数を計数する計数手段と、
計数された前記紙幣の枚数が所定枚数以下の場合、前記回復浄化手段は、前記第１のストッカ以外の前記ストッカに格納された紙幣を再度回復浄化させることを特徴とする、
請求項１０または１１に記載の紙幣取扱装置。
【請求項１３】
投入された紙幣を回復浄化してから出金するリフレッシュ処理の要求を受け付けるリフレッシュ処理受付手段をさらに備え、
前記回復浄化手段は、前記リフレッシュ処理の要求があると投入された前記紙幣を回復浄化し、
前記出金手段は、前記リフレッシュ処理の要求に応じて回復浄化された紙幣を出金する、
請求項１から１２のいずれか一項に記載の紙幣取扱装置。
【請求項１４】
前記リフレッシュ処理の要求は、投入された前記紙幣に対する回復浄化方法の指定を含み、
前記回復浄化手段は、指定された前記回復浄化方法によって投入された前記紙幣を回復浄化する、
請求項１３に記載の紙幣取扱装置。
【請求項１５】
前記リフレッシュ処理の要求は、前記利用者が許容できる待ち時間の指定と前記リフレッシュ処理後の紙幣の汚損度の指定とを含み、
前記回復浄化手段は、指定された前記待ち時間および前記汚損度に基づいて前記回復浄化方法を選択し、選択した前記回復浄化方法によって投入された前記紙幣を回復浄化する、
請求項１３に記載の紙幣取扱装置。
【発明の詳細な説明】
【技術分野】
【０００１】
本発明は、紙幣取扱装置に関する。
【背景技術】
【０００２】
金融機関等において、現金自動預け払い機、自動取引装置および自動窓口機によって例示される紙幣取扱装置が利用されている。紙幣取扱装置には、入金された紙幣の皺や折れ癖の矯正や消毒を含む回復浄化処理を行うものがある（特許文献１から９を参照）。
【先行技術文献】
【特許文献】
【０００３】
【特許文献１】特開２０１０−２２５０１３号公報
【特許文献２】特開２００８−１５２５９７号公報
【特許文献３】国際公開２００９／０９８７６１号公報
【特許文献４】特開平０８−３３５２８７号公報
【特許文献５】国際公開２００８／０５０４６０号公報
【特許文献６】特開平０５−１５９１３０号公報
【特許文献７】特開平０７−７３３５４号公報
【特許文献８】特許第３１９３８４７号公報
【特許文献９】特開２００５−１８７０９号公報
【発明の概要】
【発明が解決しようとする課題】
【０００４】
強い皺や折れ癖がある紙幣に対して回復浄化処理を行っても、折り目の無いきれいな状態に回復できるとは限らない。すなわち、このような紙幣に対して回復浄化処理を行うと、紙幣取扱装置によって回復浄化処理が実施される時間が長時間化し、回復浄化処理の処理効率が低下する虞がある。
【０００５】
そこで、開示の技術の１つの側面は、紙幣取扱装置によって回復浄化処理が実施される時間の長時間化を抑制しつつ折り目の無いきれいな紙幣を出金できる紙幣取扱装置を提供する事を課題とする。
【課題を解決するための手段】
【０００６】
開示の技術の１つの側面は、次のような紙幣取扱装置によって例示される。本紙幣取扱装置は、入出金処理を行う紙幣取扱装置であり、汚損度測定手段と、判定手段と、回復浄化手段と、出金受付手段と、出金手段とを備える。汚損度測定手段は、紙幣取扱装置に投入された紙幣の汚損度を測定する。判定手段は、汚損度測定手段によって測定された紙幣の汚損度が、紙幣の汚損を回復できると判定される所定の汚損度以下であるか否かを判定する。回復浄化手段は、汚損を回復できると判定された紙幣を回復浄化する。出金受付手段は、利用者の出金要求を受け付ける。出金手段は、出金受付手段によって受け付けられた出金要求に応じて、回復浄化手段によって回復浄化された紙幣を出金する。
【０００７】
このような発明によれば、紙幣取扱装置は、紙幣の汚損を回復できると判定される所定の汚損度以下である紙幣に対して回復浄化処理を実行する。すなわち、回復浄化処理を行っても回復浄化が難しいと判定される紙幣に対しては回復浄化処理を行わない。このことにより、紙幣取扱装置によって回復浄化処理が実施される時間の長時間化を抑制できる。また、前述のとおり、紙幣の汚損を回復できると判定される所定の汚損度以下である紙幣に対して回復浄化処理を実行するため、紙幣取扱装置は、折り目の無いきれいな紙幣を出
金できる。
【０００８】
また、本発明に係る汚損度測定手段は、紙幣を光学的に撮影する撮影手段を含み、撮影手段によって撮影された画像に基づいて紙幣の汚損度を測定するものであってもよい。このような発明によれば、紙幣取扱装置は、紙幣を光学的に撮影することにより、紙幣の外形や汚損具合等を認識できる。
【０００９】
また、本発明に係る撮影手段は、紙幣に光を照射する光源と、光が紙幣を透過した透過光および光が紙幣によって反射された反射光の少なくとも一方を受光する受光素子とを含み、撮影された画像は、受光素子が受光した光に基づいて作成されるものであってもよい。このような発明によれば、紙幣取扱装置は、光が紙幣を透過した透過光および光が紙幣によって反射された反射光の少なくとも一方を受光して紙幣の画像を作成できる。
【００１０】
また、本発明に係る汚損度測定手段は、撮影手段によって撮影された画像に基づいて紙幣の形状、紙幣の透光度および紙幣の表面平滑度のうち少なくとも一つの要素を測定するものであってもよい。透過光を受光して紙幣の画像を作成することで、紙幣の皺や折れ等が画像に反映される。そのため、このような発明によれば、紙幣取扱装置は、紙幣の皺や折れ等の観点から汚損度を測定できる。
【００１１】
また、本発明に係る受光素子は、反射光を受光し、画像は受光素子が受光した反射光に基づいて作成され、汚損度測定手段は、反射光に基づいて作成された画像に基づいて、紙幣の表面における繊維の整列度を測定するものであってもよい。紙幣の表面において繊維の整列度が低い部分では、光源からの反射光が乱反射する。そのため、反射光に基づいて作成された画像において、繊維の整列度の低い部分は他の部分とは異なった画像となる。そのため、このような発明によれば、紙幣取扱装置は、紙幣の表面における繊維の整列度を測定できる。
【００１２】
また、本発明に係る汚損度測定手段は、紙幣の形状、紙幣の透光度および紙幣の表面平滑度のうち少なくとも一つの要素を数値化し、数値化された要素の合計値を汚損度として測定してもよい。このような発明によれば、紙幣取扱装置は、紙幣の形状、紙幣の透光度および紙幣の表面平滑度等の様々な観点から汚損度を測定できる。
【００１３】
また、本発明に係る回復浄化手段は、汚損度に応じた回復浄化方法を複数含み、汚損度測定手段によって測定された紙幣の汚損度に応じて、紙幣の回復浄化に用いる回復浄化方法を選択し、選択された回復浄化方法で紙幣を浄化するものであってもよい。このような発明によれば、紙幣取扱装置は、測定された汚損度に応じて適切な回復浄化方法を選択できる。
【００１４】
また、本発明に係る回復浄化手段は、選択された複数の回復浄化方法を組み合わせて紙幣を浄化するものであってもよい。このような発明によれば、紙幣取扱装置は、複数の回復浄化方法を組み合わせることで、より汚損度の低い紙幣を出金できる。
【００１５】
また、本発明に係る紙幣取扱装置は、回復浄化手段によって回復浄化された紙幣を格納するストッカと、回復浄化手段によって回復浄化された紙幣をストッカに格納する格納手段とをさらに備えてもよい。このような発明によれば、紙幣取扱装置は、回復浄化を行っていない紙幣と回復浄化を行った紙幣との混在を抑制できる。
【００１６】
また、本発明に係るストッカは、紙幣の種類毎または汚損度毎に複数用意されてもよい。このような発明によれば、紙幣取扱装置は、特定の種類または汚損度の紙幣を出金する事が容易になる。
【００１７】
また、本発明に係る汚損度測定手段は、回復浄化された紙幣の汚損度を更に測定し、格納手段は、更に測定された汚損度に応じて、回復浄化手段によって回復浄化された紙幣をストッカに格納するものであってもよい。このような発明によれば、紙幣取扱装置は、特定の汚損度の紙幣を出金する事が容易になる。
【００１８】
また、本発明に係る紙幣取扱装置は、複数のストッカのうち、最も汚損度の低い紙幣を格納する第１のストッカに格納されている紙幣の枚数を計数する計数手段と、計数された紙幣の枚数が所定枚数以下の場合、回復浄化手段は、第１のストッカ以外のストッカに格納された紙幣を再度回復浄化させてもよい。このような発明によれば、紙幣取扱装置は、汚損度の低い紙幣の枚数が少ないときに、他の汚損度の紙幣を回復浄化することで、汚損度の低い紙幣の補充が可能となる。
【００１９】
また、本発明は、投入された紙幣を回復浄化してから出金するリフレッシュ処理の要求を受け付けるリフレッシュ処理受付手段をさらに備え、回復浄化手段は、リフレッシュ処理の要求があると投入された紙幣を回復浄化し、出金手段は、リフレッシュ処理の要求に応じて回復浄化された紙幣を出金するものであってもよい。このような発明によれば、紙幣取扱装置は、利用者の保有する紙幣を回復浄化する事が可能となる。
【００２０】
また、本発明は、リフレッシュ処理の要求は、投入された紙幣に対する回復浄化方法の指定を含み、回復浄化手段は、指定された回復浄化方法によって投入された紙幣を回復浄化するものであってもよい。このような発明によれば、紙幣取扱装置は、所望の回復浄化方法によって紙幣の回復浄化が可能となる。
【００２１】
また、本発明は、リフレッシュ処理の要求は、利用者が許容できる待ち時間の指定とリフレッシュ処理後の紙幣の汚損度の指定とを含み、回復浄化手段は、指定された待ち時間および汚損度に基づいて回復浄化方法を選択し、選択した回復浄化方法によって投入された紙幣を回復浄化するものであってもよい。このような発明によれば、紙幣取扱装置は、指定された待ち時間内で指定された汚損度に回復された紙幣を出金できる。
【発明の効果】
【００２２】
本紙幣取扱装置は、紙幣取扱装置によって回復浄化処理が実施される時間の長時間化を抑制しつつ折り目の無いきれいな紙幣を出金できる。
【図面の簡単な説明】
【００２３】
【図１】図１は、紙幣取扱装置のハードウェア構成の一例を示す図である。
【図２】図２は、撮影部の一例を示す図である。
【図３】図３は、紙幣取扱装置の処理ブロックの一例を示す図である。
【図４】図４は、汚損度測定手段の処理フローの一例を示す図である。
【図５】図５は、撮影部によって撮影された紙幣の画像の一例を示す図である。
【図６】図６は、撮影部によって撮影された紙幣の画像の一例を示す図である。
【図７】図７は、判定手段の処理フローの一例を示す図である。
【図８】図８は、回復浄化手段の処理フローの一例を示す図である。
【図９】図９は、各汚損度に対する回復浄化方法が登録された回復浄化方法テーブルの一例を示す図である。
【図１０】図１０は、出金受付手段の処理フローの一例を示す図である。
【図１１】図１１は、出金受付画面の一例を示す図である。
【図１２】図１２は、計数手段の処理フローの一例を示す図である。
【図１３】図１３は、リフレッシュ処理受付手段の処理フローの一例である。
【図１４】図１４は、リフレッシュ処理に用いる回復浄化方法の指定を受け付けるリフレッシュ受付画面の一例を示す図である。
【図１５】図１５は、再回復浄化手段の処理フローの一例を示す図である。
【図１６】図１６は、利用者の許容できる待ち時間と回復浄化後の紙幣の汚損度が指定されるリフレッシュ処理の処理フローの一例を示す図である。
【図１７】図１７は、第１変形例のリフレッシュ処理受付画面の一例を示す図である。
【図１８】図１８は、回復度および時間と回復浄化方法を対応付けたリフレッシュ手段テーブルの一例を示す図である。
【発明を実施するための形態】
【００２４】
以下、図面を参照して、一実施形態に係る紙幣取扱装置について説明する。紙幣取扱装置では、入金された紙幣の汚損度を測定し、測定された汚損度が所定の閾値以下の場合に投入された紙幣に対する回復浄化処理を実施する。以下に示す実施形態の構成は例示であり、開示の技術は実施形態の構成に限定されない。
【００２５】
＜実施形態＞
図１は、紙幣取扱装置１のハードウェア構成の一例を示す図である。紙幣取扱装置１は、現金自動預け払い機、自動取引装置または自動窓口機とも称される。紙幣取扱装置１は、例えば、銀行等の金融機関の口座への入出金に用いられる情報処理装置である。紙幣取扱装置１は、プロセッサ１０１、主記憶部１０２、補助記憶部１０３、通信部１０４、入力部１０５、出力部１０６、撮影部１０７、ストッカ１０８、回復浄化部１０９、入出金部１１０および接続バスＢ１を含む。プロセッサ１０１、主記憶部１０２、補助記憶部１０３、通信部１０４、入力部１０５、出力部１０６、撮影部１０７、ストッカ１０８、回復浄化部１０９および入出金部１１０は、接続バスＢ１によって相互に接続されている。
【００２６】
紙幣取扱装置１では、プロセッサ１０１が補助記憶部１０３に記憶されたプログラムを主記憶部１０２の作業領域に展開し、プログラムの実行を通じて周辺装置の制御を行う。これにより、紙幣取扱装置１は、所定の目的に合致した処理を実行することができる。主記憶部１０２および補助記憶部１０３は、紙幣取扱装置１が読み取り可能な記録媒体である。
【００２７】
主記憶部１０２は、プロセッサ１０１から直接アクセスされる記憶部として例示される。主記憶部１０２は、Random Access Memory（ＲＡＭ）およびRead Only Memory（ＲＯＭ）を含む。
【００２８】
補助記憶部１０３は、各種のプログラムおよび各種のデータを読み書き自在に記録媒体に格納する。補助記憶部１０３は外部記憶装置とも呼ばれる。補助記憶部１０３には、オペレーティングシステム（Operating System、ＯＳ）、各種プログラム、各種テーブル等が格納される。ＯＳは、通信部１０４を介して接続される外部装置等とのデータの受け渡しを行う通信インターフェースプログラムを含む。外部装置等には、例えば、コンピュータネットワーク等で接続された、他の情報処理装置および外部記憶装置が含まれる。なお、補助記憶部１０３は、例えば、ネットワーク上のコンピュータ群であるクラウドシステムの一部であってもよい。
【００２９】
補助記憶部１０３は、例えば、Erasable Programmable ROM（ＥＰＲＯＭ）、ソリッド
ステートドライブ（Solid State Drive、ＳＳＤ）、ハードディスクドライブ（Hard Disk
Drive、ＨＤＤ）等である。また、補助記憶部１０３は、例えば、Compact Disc（ＣＤ）ドライブ装置、Digital Versatile Disc（ＤＶＤ）ドライブ装置、Blu-ray（登録商標）Disc（ＢＤ）ドライブ装置等である。また、補助記憶部１０３は、Network Attached Storage（ＮＡＳ）あるいはStorage Area Network（ＳＡＮ）によって提供されてもよい。
【００３０】
紙幣取扱装置１が読み取り可能な記録媒体とは、データやプログラム等の情報を電気的、磁気的、光学的、機械的、または化学的作用によって蓄積し、紙幣取扱装置１から読み取ることができる記録媒体をいう。このような記録媒体のうち紙幣取扱装置１から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、紙幣取扱装置１に固定された記録媒体としてハードディスク、ＳＳＤあるいはＲＯＭ等がある。
【００３１】
通信部１０４は、例えば、コンピュータネットワークとのインターフェースである。通信部１０４は、コンピュータネットワークを介して外部の装置と通信を行う。
【００３２】
入力部１０５は、例えば、ユーザ等からの指示操作等を受け付ける。入力部１０５は、例えば、キーボードまたはタッチパネルである。
【００３３】
出力部１０６は、例えば、プロセッサ１０１で処理されるデータや主記憶部１０２に記憶されるデータを出力する。出力部１０６は、例えば、Cathode Ray Tube（ＣＲＴ）ディスプレイ、Liquid Crystal Display（ＬＣＤ）、Plasma Display Panel（ＰＤＰ）、Electroluminescence（ＥＬ）パネル、有機ＥＬパネル、プリンタあるいはスピーカーである
。
【００３４】
撮影部１０７は、例えば、紙幣を光学的に撮影する。撮影部１０７は、紙幣を撮影する光学カメラおよび光源を含む。撮影部１０７では、光源によって紙幣に光が照射され、その反射光または透過光を光学カメラが受光することで、紙幣を撮影する。反射光または透過光の受光は、撮影部１０７の光学カメラが有する受光素子によって行われる。受光素子は、イメージセンサーとも称される。受光素子は、例えば、Charge Coupled Device（Ｃ
ＣＤ）イメージセンサー、Complementary Metal Oxide Semiconductor（ＣＭＯＳ）イメ
ージセンサーである。
【００３５】
図２は、撮影部１０７の一例を示す図である。図２は、撮影部１０７の横断面の一例を示す図でもある。撮影部１０７は、受光素子１０７ａ、光源１０７ｂ１、１０７ｂ２、撮影台１０７ｃを含む。撮影部１０７では、例えば、撮影台１０７ｃに載置された紙幣５００に対し光源１０７ｂ１が光を照射し、その反射光を受光部１０７ａが受光することで、紙幣５００の撮影を行う。また、撮影部１０７は、例えば、撮影台１０７ｃに載置された紙幣５００に対し光源１０７ｂ２が光を照射し、その透過光を受光部１０７ａが受光することで、紙幣５００の撮影を行う。
【００３６】
ストッカ１０８は、例えば、紙幣取扱装置１に投入された紙幣５００を格納する格納庫である。ストッカ１０８は、例えば、紙幣５００の金種毎に用意される。紙幣５００の金種とは、例えば、「１万円札」、「５千円札」、「２千円札」および「千円札」の区別を含む。ストッカ１０８は、例えば、紙幣５００の汚損度毎に用意されてもよい。汚損度は、例えば、紙幣５００に形成された皺による汚損の度合いを含む。ストッカ１０８は、例えば、格納された紙幣５００の枚数を計数できる。紙幣５００の枚数を計数する方法には、様々な公知の方法が採用可能である。
【００３７】
回復浄化部１０９は、例えば、紙幣５００の回復浄化を行う。回復浄化とは、例えば、紙幣５００の洗浄や皺伸ばしを含む。回復浄化部１０９は、例えば、蒸気をあてながらプレスすることで紙幣５００の皺を伸ばす。また、回復浄化部１０９は、例えば、紫外線を照射することで、紙幣５００の除菌を行う。
【００３８】
入出金部１１０は、例えば、紙幣取扱装置１への入出金の受付を行う。ストッカ１０８への格納およびストッカ１０８からの出金を行う。入出金部１１０は、例えば、利用者からの指示に応じて、指定された額の紙幣５００をストッカ１０８から出金する。また、入出金部１１０は、例えば、利用者から投入された紙幣５００をストッカ１０８に格納する。
【００３９】
＜紙幣取扱装置１の処理ブロック＞
図３は、紙幣取扱装置１の処理ブロックの一例を示す図である。図３では、汚損度測定手段２０１、判定手段２０２、回復浄化手段２０３、出金受付手段２０４、計数手段２０５、リフレッシュ処理受付手段２０６および再回復浄化手段２０７の各処理ブロックが例示されている。例えば、図１のプロセッサ１０１が図３の各ブロックとして主記憶部１０２に実行可能に展開されたコンピュータプログラムを実行する。ただし、図３のいずれかのブロックの少なくとも一部はハードウェア回路、専用のプロセッサまたはデジタルシグナルプロセッサ（Digital Signal Processor、ＤＳＰ）を含んでもよい。
【００４０】
プロセッサ１０１は、汚損度測定手段２０１として、紙幣５００の汚損度測定を行う。汚損度測定手段２０１は、例えば、撮影部１０７によって撮影された紙幣５００の画像に基づいて紙幣５００の汚損度測定を行う。
【００４１】
プロセッサ１０１は、判定手段２０２として、汚損度測定手段２０１によって測定された汚損度の紙幣５００が、回復浄化手段２０３によって回復浄化可能か否かを判定する。判定手段２０２による判定は、例えば、汚損度測定手段２０１によって測定された汚損度が所定の閾値以上であるか否かによって行われる。所定の閾値は、例えば、紙幣取扱装置１の設計時に決定され、図１の主記憶部１０２または補助記憶部１０３に記憶される。
【００４２】
プロセッサ１０１は、回復浄化手段２０３として、紙幣５００の回復浄化を行う。回復浄化手段２０３は、例えば、回復浄化部１０９を駆動して紙幣５００の回復浄化を行う。
【００４３】
プロセッサ１０１は、出金受付手段２０４として、利用者からの出金要求を受け付ける。出金要求には、出金される紙幣５００の汚損度の指定が含まれてもよい。紙幣５００の汚損度が指定された場合、出金受付手段２０４は、指定された汚損度以下の紙幣５００を出金する。
【００４４】
プロセッサ１０１は、計数手段２０５として、ストッカ１０８の各々に格納された紙幣５００の枚数をストッカ１０８から取得する。
【００４５】
プロセッサ１０１は、リフレッシュ処理受付手段２０６として、利用者からのリフレッシュ処理の要求を受け付ける。リフレッシュ処理は、例えば、投入された紙幣５００を回復浄化した上で出金する。すなわち、リフレッシュ処理は、投入された紙幣５００のクリーニング処理という事もできる。
【００４６】
プロセッサ１０１は、再回復浄化手段２０７として、ストッカ１０８に格納された紙幣５００の回復浄化処理である再回復浄化処理を行う。再回復浄化手段２０７は、紙幣取扱装置１に格納されている汚損度の低い紙幣５００の枚数が少なくなった場合に、汚損度の高い紙幣５００に対して再回復浄化処理を行うことで、汚損度の低い紙幣５００を確保する。
【００４７】
＜各処理ブロックの処理フロー＞
各処理ブロックの処理フローについて、以下、図面を参照して説明する。
【００４８】
＜汚損度測定手段２０１の処理フロー＞
図４は、汚損度測定手段２０１の処理フローの一例を示す図である。以下、図４を参照して、汚損度測定手段２０１の処理フローについて説明する。
【００４９】
ＯＰ１では、汚損度測定手段２０１は、撮影部１０７に汚損度測定の対象となる紙幣５００を撮影させる。汚損度測定の対象となる紙幣５００とは、例えば、紙幣取扱装置１に投入された紙幣５００である。撮影部１０７は、光源１０７ｂ１からの光による撮影と光源１０７ｂ２からの光による撮影とを行う。
【００５０】
図５は、撮影部１０７によって撮影された紙幣５００の画像５００ａの一例を示す図である。画像５００ａは、光源１０７ｂ１から紙幣５００に照射された光の反射光を受光素子１０７ａで受光して撮影した画像の一例である。紙幣５００の表面において紙の繊維の並びに乱れがあると、乱れのある部分で光源１０７ｂ１からの光が乱反射する。そのため、撮影部１０７は、光源１０７ｂ１からの反射光を受光することで、紙幣５００の表面における繊維の並びの乱れＧ１を撮影可能である。また、撮影部１０７は、紙幣５００の画像を取得するものであるため、例えば、Ｇ２に例示されるような紙幣の折れも撮影可能である。汚損度測定手段２０１は、例えば、紙幣５００の面積に対する繊維の乱れＧ１の面積の比や折れに基づいて、紙幣５００の繊維の整列の度合いを示す整列度を測定できる。整列度は、例えば、紙幣５００の繊維の乱れが多いほど低くなる。また、汚損度測定手段２０１は、整列度および紙幣５００の折れＧ２に基づいて、紙幣５００の表面の滑らかさを示す表面平滑度を測定できる。
【００５１】
図６は、撮影部１０７によって撮影された紙幣５００の画像５００ｂの一例を示す図である。画像５００ｂは、光源１０７ｂ２から紙幣５００に照射された光の透過光を受光素子１０７ａで受光して撮影した画像の一例である。画像５００ｂでは、紙幣５００の全体に存在する細かな皺Ｃ１が白く表れている。また、画像５００ｂでは、紙幣５００を折り曲げた際につけられた皺Ｃ１が紙幣５００の長手方向の中央付近に存在する。さらに、画像５００ｂでも、画像５００ａと同様に折れＧ２が表れている。なお、皺Ｃ１は、紙幣５００の凹凸部分を含む。このように、撮影部１０７は、光源１０７ｂ２からの透過光を受光素子１０７ａで受光して紙幣５００を撮影することで、紙幣５００の皺を画像として撮影できる。また、画像５００ｂでは、強い皺ほどより濃く表れる。汚損度測定手段２０１は、画像５００ｂにおける皺Ｃ１の数および皺Ｃ１の色の濃さに基づいて、紙幣５００の皺の強さを示す皺度を測定できる。皺度は、例えば、最も色の濃い皺Ｃ１に基づいて測定され、最も色の濃い皺Ｃ１による皺が強いほど高い皺度となる。また、汚損度測定手段２０１は、透過光の強度である透光度を測定してもよい。透光度は、紙幣５００が強く汚損されている場合、紙幣５００を透過する透過光の強度が弱くなることから、低くなる。
【００５２】
図４に戻り、ＯＰ２では、汚損度測定手段２０１は、画像５００ａに基づいて測定された整列度や表面平滑度および画像５００ｂに基づいて測定された皺度や透光度のうち少なくとも一つに基づいて、紙幣５００の汚損度を測定する。紙幣５００の汚損度は、例えば、表面平滑度と透光度の合計が高いほど高い汚損度となる。汚損度は、例えば、「高」、「中」、「低」の３段階で測定される。また、汚損度は、例えば、数値として測定される。
【００５３】
＜判定手段２０２の処理フロー＞
図７は、判定手段２０２の処理フローの一例を示す図である。以下、図７を参照して、判定手段２０２の処理フローの一例について説明する。
【００５４】
ＯＰ１１では、判定部２０２は、汚損度測定手段２０１によって測定された紙幣５００の汚損度と所定の閾値とを比較する。測定された汚損度が所定の閾値以上の場合（ＯＰ１
２でＹＥＳ）、判定部２０２は、回復浄化手段２０３に対して紙幣５００の回復浄化を指示しない（ＯＰ１４）。測定された汚損度が所定の閾値未満の場合（ＯＰ１２でＮＯ）、判定部２０２は、回復浄化手段２０３に対して紙幣５００の回復浄化を指示する（ＯＰ１３）。
【００５５】
＜回復浄化手段２０３の処理フロー＞
図８は、回復浄化手段２０３の処理フローの一例を示す図である。以下、図８を参照して回復浄化手段２０３の処理フローの一例について説明する。
【００５６】
ＯＰ２１では、回復浄化手段２０３は、測定された汚損度に基づいて紙幣５００の回復浄化に適用する回復浄化方法を選択する。回復浄化方法は、例えば、複数の回復浄化方法が登録されたテーブルから選択される。
【００５７】
図９は、各汚損度に対する回復浄化方法が登録された回復浄化方法テーブル２０３ａの一例を示す図である。回復浄化方法テーブル２０３ａでは、汚損度と回復浄化方法とが対応付けて記憶される。図９を参照すると、汚損度が「低」の場合には回復浄化方法として「紫外線」が選択され、汚損度が「中」の場合には回復浄化方法として「アイロン＋スチーム」が選択され、汚損度が「高」の場合には回復浄化方法として「アイロン＋スチーム＋紫外線」が選択される。
【００５８】
「紫外線」による回復浄化方法とは、紙幣５００に紫外線を照射することで除菌する処理を含む。「アイロン＋スチーム」による回復浄化方法とは、紙幣５００にスチーム（蒸気）をあてながらアイロンによって紙幣５００の皺を伸ばす処理を含む。紙幣５００にあてるスチームは、例えば、スチームに含まれる粒子のサイズをナノサイズの粒子であるナノ粒子としてもよい。ナノ粒子のスチームを採用することで、紙幣５００の内部までスチームが浸透しやすくなる。その結果、紙幣５００の皺をより効果的に伸ばすことが可能である。「アイロン＋スチーム＋紫外線」による回復浄化方法とは、上述した「アイロン＋スチーム」による紙幣５００の皺伸ばしを行うとともに、紫外線を紙幣５００に照射して除菌する処理を含む。紙幣取扱装置１では、汚損度毎に回復浄化方法を選択することで、汚損度が「低」である紙幣５００に対する処理時間の短縮を図ると共に、汚損度「高」である紙幣５００をよりきれいな状態に回復浄化する事ができる。
【００５９】
図８に戻り、ＯＰ２３では、回復浄化手段２０３は、回復浄化後の紙幣５００の汚損度を汚損度測定手段２０１に測定させる。ＯＰ２４では、回復浄化手段２０３は、回復浄化後の紙幣５００をストッカ１０８に格納する。前述のとおり、ストッカ１０８は、汚損度および金種毎の少なくとも一方に基づいて紙幣を格納する。そこで、回復浄化手段２０３は、ＯＰ２３の測定結果に基づいて選択したストッカ１０８に回復浄化後の紙幣５００を格納する。
【００６０】
＜出金受付手段２０４の処理フロー＞
図１０は、出金受付手段２０４の処理フローの一例を示す図である。以下、図１０を参照して、出金受付手段２０４の処理フローの一例について説明する。
【００６１】
ＯＰ３１では、出金受付手段２０４は、ディスプレイに例示される出力部１０６に出金を受け付ける出金受付画面２０４ａを表示させる。図１１は、出金受付画面２０４ａの一例を示す図である。出金受付画面２０４ａでは、「引き出し額の指定」および「紙幣の回復度の指定」が表示される。「引き出し額の指定」では、例えば、利用者の口座から出金する金額が指定される。
【００６２】
ＯＰ３２では、タッチパネルに例示される入力部１０５から出金する金額および紙幣５
００の汚損度の指定を受け付ける。図１１の例では、「２万６千円」が引き出し額として指定される。なお、引き出し額の指定では、金額による指定の他、紙幣５００の金種毎の枚数が指定されてもよい。紙幣５００の金種毎の枚数とは、例えば、１万円札が２枚、５千円札が１枚、千円札が１枚、というような指定である。「紙幣の回復度の指定」では、出金する紙幣５００の「汚損度」が指定される。図１１では、「紙幣の回復度の指定」として「きれいな紙幣」、「普通の紙幣」および「回復度は気にしない」の３通りの選択肢が例示されている。出金受付画面２０４ａの「きれいな紙幣」および「普通の紙幣」は、各々汚損度の「低」および「中」に対応する。出金受付画面２０４ａの「回復度は気にしない」は、指定された額の出金ができれば回復度は問わないという意味である。利用者は、対応するラジオボタン２０４ｄをオンにすることで、出金する紙幣５００の回復度を指定できる。
【００６３】
図１０に戻り、ＯＰ３３では、出金受付手段２０４は、指定された汚損度の紙幣５００が指定された額だけあるか否かを判定する。この判定は、出金受付手段２０４が、ストッカ１０８に格納された紙幣５００の枚数を計数手段２０５に計数させることで行う。指定された汚損度の紙幣５００が指定された額だけある場合、出金受付手段２０４は、処理をＯＰ３４に進める。指定された汚損度の紙幣５００が指定された額に対して不足する場合、出金受付手段２０４は、処理をＯＰ３５に進める。
【００６４】
ＯＰ３４では、出金受付手段２０４は、入出金部１１０にＯＰ３２で指定された紙幣５００を出金させる。
【００６５】
ＯＰ３５では、出金受付手段２０４は、ＯＰ３２で指定された紙幣５００の出金ができない旨、ディスプレイに例示される出力部１０６に表示する。出金受付手段２０４は、例えば、紙幣５００の回復度を問わなければ指定された額の紙幣５００を出金可能な場合、その旨をあわせて出力部１０６に表示する。
【００６６】
＜計数手段２０５の処理フロー＞
図１２は、計数手段２０５の処理フローの一例を示す図である。以下、図１２を参照して計数手段２０５の処理フローの一例について説明する。
【００６７】
ＯＰ４１では、計数手段２０５は、計数対象となる紙幣５００の金種および汚損度の指定を受け付ける。この指定は、例えば、汚損度が「高」かつ金種が「１万円札」との指定である。また、この指定は、例えば、「紙幣取扱装置１に格納されている全ての紙幣」との指定であってもよい。
【００６８】
ＯＰ４２では、計数手段２０５は、指定された汚損度および金種の紙幣５００の計数を行う。前述のとおり、紙幣取扱装置１では、紙幣５００の汚損度毎、紙幣５００の金種毎にストッカ１０８が用意される。そのため、計数手段２０５は、指定された汚損度および指定された金種の紙幣５００が格納されたストッカ１０８を選択し、選択したストッカ１０８に格納された紙幣５００の枚数を計数する。また、計数手段２０５は、入出金の処理毎に、各金種毎の各汚損度の紙幣の枚数を計数して記憶してもよい。
【００６９】
＜リフレッシュ処理受付手段２０６の処理フロー＞
図１３は、リフレッシュ処理受付手段２０６の処理フローの一例である。図１３に例示される処理は、例えば、入力部１０５からリフレッシュ処理の開始を指示されて開始される。以下、図１３を参照して、リフレッシュ処理受付手段２０６の処理フローの一例について説明する。
【００７０】
ＯＰ５１では、リフレッシュ処理受付手段２０６は、入出金部１１０からリフレッシュ
対象となる紙幣５００の投入を受け付ける。ＯＰ５２では、リフレッシュ処理受付手段２０６は、リフレッシュ処理に用いる回復浄化方法の指定を受け付ける。図１４は、リフレッシュ処理に用いる回復浄化方法の指定を受け付けるリフレッシュ受付画面２０６ａの一例を示す図である。リフレッシュ受付画面２０６ａでは、リフレッシュ処理の処理方法と処理時間とを指定できる。リフレッシュ受付画面２０６ａにおいて、ラジオボタン２０６ｂをオンにすることで、リフレッシュ処理の処理方法を選択できる。また、リフレッシュ受付画面２０６ａにおいて、ラジオボタン２０６ｃをオンにすることで、リフレッシュ処理の処理時間を選択できる。図１４に例示される「皺伸ばし」は、図９に例示される「アイロン＋スチーム」による回復浄化方法に対応する。また、図１４の「除菌」は、図９の「紫外線」に対応する。図１４の例では、リフレッシュ処理の回復浄化方法として「皺伸ばし」、「皺伸ばし」の処理時間として「３０秒」が選択されている。
【００７１】
ＯＰ５３では、リフレッシュ処理受付手段２０６は、指定された回復浄化方法による回復浄化の実施を回復浄化手段２０３に指示する。回復浄化手段２０３は、指定された回復浄化方法によって投入された紙幣５００の回復浄化を実施する。
【００７２】
ＯＰ５４では、リフレッシュ処理受付手段２０６は、ＯＰ５３による回復浄化を行った紙幣５００を出金する。
【００７３】
＜再回復浄化手段２０７の処理フロー＞
図１５は、再回復浄化手段２０７の処理フローの一例を示す図である。再回復浄化手段２０７による処理は、例えば、夜間等の利用者の少ない時間帯に行われる。以下、図１５を参照して、再回復浄化手段２０７の処理フローの一例について説明する。
【００７４】
ＯＰ６１では、再回復浄化手段２０７は、計数手段２０５に対し、汚損度の最も低い紙幣５００が格納されるストッカ１０８に格納されている紙幣５００の計数を指示する。
【００７５】
ＯＰ６１で計数した紙幣５００の枚数が所定枚数以上である場合（ＯＰ６２でＹＥＳ）、再回復浄化手段２０７は処理を終了する（ＯＰ６６）。ＯＰ６１で計数した紙幣５００の枚数が所定枚数未満である場合（ＯＰ６２でＮＯ）、再回復浄化手段２０７は処理をＯＰ６３に進める。
【００７６】
ＯＰ６３では、再回復浄化手段２０７は、回復浄化手段２０３に対して、ＯＰ６１で計数したストッカ１０８以外のストッカ１０８に格納されている紙幣５００の回復浄化処理を指示する。この際、汚損度の低い紙幣５００を優先して回復浄化処理が実施される。汚損度の低い紙幣５００を優先して回復浄化処理を実施することで、再回復浄化手段２０７は、再回復浄化処理の処理時間を短縮できる。
【００７７】
ＯＰ６４では、再回復浄化手段２０７は、ＯＰ６３による処理が行われた紙幣５００の汚損度を汚損度測定手段２０１に測定させる。ＯＰ６５では、再回復浄化手段２０７は、ＯＰ６３による処理が行われた紙幣５００をＯＰ６４で測定された汚損度に対応するストッカ１０８に格納する。
【００７８】
＜第１変形例＞
実施形態のリフレッシュ処理は、回復浄化方法と処理時間の指定を受け付けた。第１変形例のリフレッシュ処理では、利用者の許容できる待ち時間と回復浄化後の紙幣の汚損度が指定される。以下、図面を参照して、第１変形例のリフレッシュ処理について説明する。
【００７９】
図１６は、利用者の許容できる待ち時間と回復浄化後の紙幣の汚損度が指定されるリフ
レッシュ処理の処理フローの一例を示す図である。以下、図１６を参照して、利用者の許容できる待ち時間と回復浄化後の紙幣の汚損度が指定されるリフレッシュ処理の処理フローの一例について説明する。なお、実施形態と同様の構成については同一の符号を付し、その説明を省略する。
【００８０】
ＯＰ５１の処理は、図１３のＯＰ５１の処理と同様である。そのため、その説明を省略する。ＯＰ７１では、リフレッシュ処理受付手段２０６は、待ち時間および回復浄化処理後の汚損度の指定を受け付ける。
【００８１】
図１７は、第１変形例のリフレッシュ処理受付画面２０６ｄの一例を示す図である。リフレッシュ受付画面２０６ｄでは、回復浄化処理後の汚損度を示す回復度がラジオボタン２０６ｅによって選択できる。回復度「高」は、例えば、汚損度「低」に対応する。回復度「低」は、例えば、汚損度「中」に対応する。また、リフレッシュ処理受付画面２０６ｄでは、ラジオボタン２０６ｆによって処理待ち時間を指定できる。
【００８２】
図１６に戻り、ＯＰ７２では、リフレッシュ処理受付手段２０６は、投入された紙幣５００の汚損度を汚損度測定手段２０１に測定させる。ＯＰ７３では、リフレッシュ処理受付手段２０６は、ＯＰ７２で測定された汚損度に基づいて指定された待ち時間内に指定された汚損度まで回復可能か否かを判定する。
【００８３】
図１８は、回復度および時間と回復浄化方法を対応付けたリフレッシュ手段テーブル２０３ｂの一例を示す図である。リフレッシュ手段テーブル２０３ｂでは、回復浄化前の紙幣の汚損度が「汚損度（前）」として例示され、回復浄化後の紙幣の汚損度が「汚損度（後）」で例示されている。リフレッシュ手段テーブル２０３ｂでは、回復前後の汚損度と時間に対応付けられて回復浄化方法が例示されている。汚損度（前）と汚損度（後）の組合せによっては、回復浄化処理を行っても紙幣の汚損度が汚損度（後）に及ばない場合がある。このような場合、リフレッシュ手段テーブル２０３ｂでは、回復浄化方法の欄に「不可」と例示されている。リフレッシュ処理受付手段２０６は、リフレッシュ手段テーブル２０３ｂを参照して、ＯＰ７２で測定された汚損度に基づいて指定された待ち時間内に指定された汚損度まで回復可能か否かを判定できる。回復可能な場合（ＯＰ７３でＹＥＳ）、処理はＯＰ７４に進められる。回復可能ではない場合（ＯＰ７３でＮＯ）、処理は、ＯＰ７５に進められる。
【００８４】
ＯＰ７４では、リフレッシュ処理受付手段２０６は、指定された待ち時間内に指定された汚損度まで回復できる回復浄化方法を回復浄化手段２０３に選択させる。回復浄化手段２０３は、リフレッシュ手段テーブル２０３ｂを参照して、回復浄化方法を選択する。ＯＰ５３およびＯＰ５４の処理は、図１３のＯＰ５３およびＯＰ５４と同様の処理であるため、その説明を省略する。ＯＰ７５では、リフレッシュ処理受付手段２０６は、回復浄化できない旨のメッセージを出力部１０６に出力し、処理を終了する。
【００８５】
図１６及び図１７に例示されるようなリフレッシュ処理により、利用者は、利用者自身が待機可能な待ち時間内に回復浄化処理された紙幣を入手できる。
【００８６】
＜実施形態の変形＞
実施形態では、回復浄化手段２０３による紙幣５００を回復浄化する方法として、「紫外線」、「アイロン＋スチーム」およびこれらの組合せが例示された。しかしながら、紙幣５００を回復浄化する方法がこれらに限定されるわけではない。回復浄化手段２０３は、紙幣５００を回復浄化し得る様々な方法を採用可能である。
【００８７】
実施形態では、汚損度を「高」、「中」、「低」の３段階で例示した。しかしながら、
汚損度は３段階であることに限定されない。汚損度は、例えば、数値で表現されてもよい。
【００８８】
実施形態のリフレッシュ処理では、投入された紙幣に回復浄化処理を行った上で、当該紙幣を出金した。しかしながら、リフレッシュ処理は、このような処理に限定されない。リフレッシュ処理は、例えば、紙幣が投入されてリフレッシュ処理が指定されると、投入された紙幣を紙幣取扱装置１のストッカ１０８に格納するとともに、紙幣取扱装置１内において既に回復浄化処理が行われた紙幣を出金してもよい。リフレッシュ処理をこのように実装することで、リフレッシュ処理の処理時間を短縮できる。
【００８９】
実施形態では、再回復浄化手段２０７が、図１５に例示される再回復浄化処理を行った。しかしながら、再回復浄化処理の実行主体は、再回復浄化手段２０７に限定されない。再回復浄化処理は、例えば、回復浄化手段２０３によって実行されてもよい。
【００９０】
以上で開示した実施形態や変形例はそれぞれ組み合わせる事ができる。
【符号の説明】
【００９１】
１・・・紙幣取扱装置
１０１・・・プロセッサ
１０２・・・主記憶部
１０３・・・補助記憶部
１０４・・・通信部
１０５・・・入力部
１０６・・・出力部
１０７・・・撮影部
１０７ａ・・・受光素子
１０７ｂ１・・・光源
１０７ｂ２・・・光源
１０８・・・ストッカ
１０９・・・回復浄化部
１１０・・・入出金部
２０１・・・汚損度測定手段
２０２・・・判定手段
２０３・・・回復浄化手段
２０４・・・出金受付手段
２０５・・・計数手段
２０６・・・リフレッシュ処理受付手段
２０７・・・再回復浄化手段
【図１】
0006316255.tif 000002
【図２】
0006316255.tif 000003
【図３】
0006316255.tif 000004
【図４】
0006316255.tif 000005
【図５】
0006316255.tif 000006
【図６】
0006316255.tif 000007
【図７】
0006316255.tif 000008
【図８】
0006316255.tif 000009
【図９】
0006316255.tif 000010
【図１０】
0006316255.tif 000011
【図１１】
0006316255.tif 000012
【図１２】
0006316255.tif 000013
【図１３】
0006316255.tif 000014
【図１４】
0006316255.tif 000015
【図１５】
0006316255.tif 000016
【図１６】
0006316255.tif 000017
【図１７】
0006316255.tif 000018
【図１８】
0006316255.tif 000019